(57)【特許請求の範囲】
【請求項１】
収納ケースの下側を構成し、前壁と左右側壁と後壁とを有するボトムカバーと、収納ケースの上側を構成し、前壁と左右側壁と後壁とを有するトップカバーと、該ボトムカバーと該トップカバーとで形成される収納ケースに内蔵される機能部品と、該トップカバーに開閉自在に取り付けられた蓋部とで構成されるノート型情報処理装置において、
前記トップカバーの側壁内部が前記ボトムカバーの側壁外部に嵌合する構造となっており、内蔵される前記機能部品は機能部品取付板に取り付けられており、該機能部品取付板には前記ボトムカバーの左右側壁内側と係合する板状の係合部材が設けられており、該機能部品取付板の該係合部材が前記ボトムカバーの側壁の内部に係合し、前記トップカバーの側壁と前記ボトムカバーの側壁とを貫通したねじが前記係合部材に配設された雌ねじに螺合することにより、前記トップカバーの側壁と前記ボトムカバーの側壁と前記機能部品取付板の前記係合部材とが一体に締着されることを特徴とするノート型情報処理装置。
【請求項２】
前記機能部品取付板にはさらに前記ボトムカバーの後壁内側と係合する板状の係合部材が設けられており、前記機能部品取付板の前記係合部材が前記ボトムカバーの側壁の内部に係合した後、さらに前記トップカバーの後壁と前記ボトムカバーの後壁と前記取付板の前記係合部材とが、該トップカバーの後壁外側からもねじで一体に締着されている、請求項１に記載のノート型情報処理装置。
【請求項３】
収納ケースの下側を構成し、前壁と左右側壁と後壁とを有するボトムカバーと、収納ケースの上側を構成し、前壁と左右側壁と後壁とを有するトップカバーと、該ボトムカバーと該トップカバーとで形成される収納ケースに内蔵される機能部品と、該トップカバーに開閉自在に取り付けられた蓋部とで構成されるノート型情報処理装置において、
前記トップカバーの側壁内部が前記ボトムカバーの側壁外部に嵌合する構造となっており、内蔵される前記機能部品は機能部品取付板に取り付けられており、該機能部品取付板には前記ボトムカバーの左右側壁外側と係合する板状の係合部材が設けられており、前記機能部品取付板の前記係合部材が前記トップカバーと前記ボトムカバーの間に挿入され、前記トップカバーの側壁と前記係合部材とを貫通したねじが、前記ボトムカバーの側壁内に配設された雌ねじに螺合することにより、前記トップカバーの側壁と前記取付板の前記係合部材と前記ボトムカバーの側壁とが一体に締着されることを特徴とするノート型情報処理装置。
【請求項４】
前記機能部品取付板にはさらに前記ボトムカバーの後壁外側と係合する板状の係合部材が設けられており、前記機能部品取付板の前記係合部材が前記トップカバーと前記ボトムカバーの間に挿入された後、さらに前記トップカバーの後壁と前記機能部品取付板の前記係合部材と前記ボトムカバーの後壁とが該トップカバーの後壁外側からもねじで一体に締着されている、請求項３に記載のノート型情報処理装置。
【請求項５】
収納ケースの下側を構成し、前壁と左右側壁と後壁とを有するボトムカバーと、収納ケースの上側を構成し、前壁と左右側壁と後壁とを有するトップカバーと、該ボトムカバーと該トップカバーとで形成される収納ケースに内蔵される機能部品と、該トップカバーに開閉自在に取り付けられた蓋部とで構成されるノート型情報処理装置において、
前記トップカバーの側壁内部が前記ボトムカバーの側壁外部に嵌合する構造となっており、内蔵される前記機能部品は機能部品取付板に取り付けられており、該機能部品取付板には前記ボトムカバーの左右側壁内側と係合する板状の係合部材が設けられており、該機能部品取付板の該係合部材が前記ボトムカバーの側壁の内部に係合し、前記ボトムカバーの側壁を貫通したねじが前記係合部材に配設された雌ねじに螺合することにより、前記ボトムカバーの側壁と前記機能部品取付板の前記係合部材とが一体に締着され、前記機能部品取付板が締着された前記ボトムカバーの前壁と左右側壁と後壁との外側に前記トップカバーの前壁と左右側壁と後壁との内側を係着し、前記トップカバーの側壁を貫通したねじが前記ボトムカバーの側壁に配設された雌ねじに螺合することにより、前記トップカバーの側壁と前記ボトムカバーの側壁と前記機能部品取付板とが一体に締着されることを特徴とするノート型情報処理装置。
【請求項６】
前記機能部品取付板が締着された前記ボトムカバーの前壁と左右側壁と後壁との外側に前記トップカバーの前壁と左右側壁と後壁との内側を係着した後、さらに前記トップカバーの後壁と前記ボトムカバーの後壁とが、該トップカバーの後壁外側からもねじで締着されている、請求項５に記載のノート型情報処理装置。
【請求項７】
前記蓋部が液晶表示装置である、請求項１から請求項４のいずれか１項に記載のノート型情報処理装置。
【発明の詳細な説明】
【０００１】
【発明の属する技術分野】
本発明はノート型情報処理装置に関し、容積が小さく組立作業が容易なノート型情報処理装置に関する。
【０００２】
【従来の技術】
最近の情報化の進展に伴い携帯の可能なノート型情報処理装置の需要が増加し、その小型化とコストダウンが要求されている。
【０００３】
これまでのノート型情報処理装置の構造は板状の構成部品を層状に積み重ね、それらをまとめてねじで共締めして固定している方法が主である。図６は従来のノート型情報処理装置の完成品と主要構成要素の組立手順との関係を示す模式図であり、図７はボトムカバーとトップカバーと機能部品との組立構造を示す第１の従来例の部分断面図であり、図８はボトムカバーとトップカバーと機能部品との組立構造を示す第２の従来例の部分断面図である。
【０００４】
図６においてキーボード、ＣＤ−ＲＯＭ等のデバイスが取り付けられた機能部品取付板６３は、プリント基板、シールドシート等の機能部品とともにボトムカバー６１にねじ６８で取り付けられ、ボトムカバー６１とトップカバー６２とは下側からねじ６８で固着され、液晶表示装置６９が取り付けられてノート型情報処理装置６０となる。
【０００５】
図７に示す第１の従来例ではキーボード、ＣＤ−ＲＯＭ等のデバイス７５は機能部品取付板７３に取り付けられており、プリント基板７６、シールドシート７７等とともにボトムカバー７１のボス部の雌ねじにねじ７８で螺合され、ボトムカバー７１はトップカバー７２ののボス部の雌ねじにねじ７８で螺合され、ボトムカバー７１の側壁端部とトップカバー７２の側壁端部とが突き合わせ状態で係合している。
【０００６】
図８に示す第２の従来例ではキーボード、ＣＤ−ＲＯＭ等のデバイス８５は機能部品取付板８３に取り付けられており、プリント基板８６、シールドシート８７等とともに、ボトムカバー８１に設けられた中空凸部上面とトップカバー８２のボス部との間に挟着され、ボトムカバー８１の中空部を貫通するねじ８８でトップカバー８２のボス部の雌ねじに螺合され、ボトムカバー８１と機能部品取付板８３、プリント基板８６、シールドシート８７等とトップカバー８２とは一体に固定され、ボトムカバー８１の側壁端部とトップカバー８２の側壁端部とが突き合わせ状態で係合している。
【０００７】
【発明が解決しようとする課題】
これらの方法だと、ボトムカバー６１、トップカバー６２のいずれかあるいは両方に、ねじ取り付け用のボスまたは位置決め用の突起が必要になる。これらは取り付ける部品以外にとっては不必要な構造であるため、部品をそれらボスや突起と干渉しないように配置しなければならない。そのようにしてできた機能に関係のない空間が増えるため、これらの空間によって電子機器の小型化が阻害されるという問題が従来のノート型情報処理装置の構造にはあった。またボスや突起と干渉しないようにするため、構成部品の形状が複雑化しやすいという問題や、組立作業性が悪くなるという問題もあった。
【０００８】
さらに同等の機能を持つノート型情報処理装置では、構造にメーカによる違いはなく、ほとんど同一の意匠が採用されており、通常意匠による差別化はし難いという問題点があった。
【０００９】
本発明の目的は、少ない容積で、組立作業が容易で、かつ新しい意匠を有するノート型情報処理装置を提供することにある。
【００１０】
【課題を解決するための手段】
本発明のノート型情報処理装置は、
収納ケースの下側を構成し、前壁と左右側壁と後壁とを有するボトムカバーと、収納ケースの上側を構成し、前壁と左右側壁と後壁とを有するトップカバーと、そのボトムカバーとそのトップカバーとで形成される収納ケースに内蔵される機能部品と、そのトップカバーに開閉自在に取り付けられた蓋部とで構成されるノート型情報処理装置において、トップカバーの側壁内部がボトムカバーの側壁外部に嵌合する構造となっており、内蔵される機能部品は機能部品取付板に取り付けられており、第１の態様では、その機能部品取付板にはボトムカバーの左右側壁内側と係合する板状の係合部材が設けられており、その機能部品取付板のその係合部材がボトムカバーの側壁の内部に係合し、トップカバーの側壁とボトムカバーの側壁とを貫通したねじが係合部材に配設された雌ねじに螺合することにより、ボトムカバーの側壁とトップカバーの側壁と機能部品取付板の係合部材とが一体に締着される。
【００１１】
機能部品取付板にはさらにボトムカバーの後壁内側と係合する板状の係合部材が設けられており、機能部品取付板の係合部材がボトムカバーの側壁の内部に係合した後、さらにトップカバーの後壁とボトムカバーの後壁と取付板の係合部材とが、そのトップカバーの後壁外側からもねじで一体に締着されていてもよい。
【００１２】
第２の態様では、機能部品取付板にはボトムカバーの左右側壁外側と係合する板状の係合部材が設けられており、機能部品取付板の係合部材がトップカバーとボトムカバーの間に挿入され、トップカバーの側壁と係合部材とを貫通したねじが、ボトムカバーの側壁内に配設された雌ねじに螺合することにより、トップカバーの側壁と取付板の係合部材とボトムカバーの側壁とが一体に締着される。機能部品取付板にはさらにボトムカバーの後壁外側と係合する板状の係合部材が設けられており、機能部品取付板の係合部材がトップカバーとボトムカバーの間に挿入された後、さらにトップカバーの後壁と機能部品取付板の係合部材とボトムカバーの後壁とが、そのトップカバーの後壁外側からもねじで一体に締着されていてもよい。
【００１３】
第３の態様では、機能部品取付板にはボトムカバーの左右側壁内側と係合する板状の係合部材が設けられており、その機能部品取付板のその係合部材がボトムカバーの側壁の内部に係合し、ボトムカバーの側壁を貫通したねじが係合部材に配設された雌ねじに螺合することにより、ボトムカバーの側壁と機能部品取付板の係合部材とが一体に締着され、機能部品取付板が締着されたボトムカバーの前壁と左右側壁と後壁との外側にトップカバーの前壁と左右側壁と後壁との内側を係着し、トップカバーの側壁を貫通したねじがボトムカバーの側壁に配設された雌ねじに螺合することにより、トップカバーの側壁とボトムカバーの側壁と機能部品取付板とが一体に締着される。機能部品取付板が締着されたボトムカバーの前壁と左右側壁と後壁との外側にトップカバーの前壁と左右側壁と後壁との内側を係着した後、さらにトップカバーの後壁とボトムカバーの後壁とが、そのトップカバーの後壁外側からもねじで締着されていてもよい。
【００１４】
また、蓋部が液晶表示装置であってもよい。
【００１５】
横からのねじ止めとすることで、ノート型情報処理装置の機能に不必要な組立のためのボスや突起を減少させることができ、組み立て作業の効率化を図ることができ、トップカバーでボトムカバーを覆う構造としねじを意匠に取り入れるなど従来のノート型情報処理装置と異なった意匠とすることができる。
【００１６】
【発明の実施の形態】
次に、本発明の実施の形態について図面を参照して説明する。図１は本発明の第１の実施の形態のノート型情報処理装置の完成品と主要構成要素の組立手順との関係を示す模式図であり、図２はボトムカバーとトップカバーと機能部品取付板との組立構造を示す第１の実施の形態の第１例の部分断面図であり、図３はボトムカバーとトップカバーと機能部品取付板との組立構造を示す第１の実施の形態の第２例の部分断面図であり、図４はボトムカバーとトップカバーと機能部品取付板との組立構造を示す第１の実施の形態の第３例の部分断面図であり、（ａ）は上面図、（ｂ）は側面図である。
【００１７】
本発明のノート型情報処理装置は、収納ケースの下側を構成するボトムカバー１１と、収納ケースの上側を構成するトップカバー１２と、ボトムカバー１１とトップカバー１２とで形成される収納ケースに内蔵されるキーボード、ＣＤ−ＲＯＭ等のデバイス２５と、プリント基板２６と、シ−ルドシート２７等の機能部品と、トップカバー２２に開閉自在に取り付けられた液晶表示装置１９とで構成される。
【００１８】
トップカバー１２の側壁内部がボトムカバー１１の側壁外部に嵌合する構造となっており、内蔵される機能部品は機能部品取付板１３に取り付けられており、機能部品取付板１３にはボトムカバー１１の左右側壁と係合する板状の係合部材１４が設けられており、ボトムカバー１１とトップカバー１２と機能部品取付板１３とが所定の配置で組み合わされた後、トップカバー１２の側壁とボトムカバー１１の側壁と機能部品取付板１３の係合部材１４とがトップカバー１２の左右側壁外側からねじ１８で一体に締着されている。
【００１９】
このように、本発明のノート型情報処理装置１０では、ボトムカバー１１とトップカバー１２と機能部品取付板１３とが横方向からのねじ１８で固定されるので、上下方向からねじで固定される従来例のようなボスが必要でなく、内部の容積が有効に活用できるので小型化が可能となり、また内部構造部品はボス等を避けるための複雑な形状とする必要がなく、横側からのねじのみによって固定されるので組立、分解も容易であり、ボトムカバーはトップカバーに覆われるので側面に継ぎ目がなく斬新な意匠となる。
【００２０】
図２に示される第１例では、機能部品取付板２３にはボトムカバー２１の左右側壁内側と係合する板状の係合部材２４が設けられており、機能部品取付板２３の係合部材２４がボトムカバー２１の側壁の内部に係合し、トップカバー２２の側壁とボトムカバー２１の側壁とを貫通したねじ２８が係合部材２４に配設された雌ねじに螺合することにより、トップカバーの側壁２２とボトムカバー２１の側壁と機能部品取付板２３の係合部材２４とが一体に締着されている。係合部材２４は通常金属製であり、成形加工時に雌ねじを同時に容易に形成することができる。
【００２１】
図３に示される第２例では、機能部品取付板３３にはボトムカバー３１の左右側壁外側と係合する板状の係合部材３４が設けられており、機能部品取付板３３の係合部材３４がトップカバー３２とボトムカバー３１との間に挿入され、トップカバー３２の側壁と係合部材３４とを貫通したねじ３８が、ボトムカバー３１の側壁内に配設された雌ねじに螺合することにより、トップカバー３２の側壁と機能部品取付板３３の係合部材３４とボトムカバー３１の側壁とが一体に締着される。この場合雌ねじは樹脂製のボトムカバー３１に形成されるので、安定した組立性を実現することが可能となる。
【００２２】
図４に示される第３例では、機能部品取付板４３にはボトムカバー４１の左右側壁内側と係合する板状の係合部材４４が設けられており、機能部品取付板４３の係合部材４４がボトムカバー４１の側壁の内部に係合し、ボトムカバー４１の側壁を貫通したねじ４８が係合部材４３に配設された雌ねじに螺合することにより、ボトムカバー４１の側壁と機能部品取付板４３の係合部材４４とが一体に締着される。
【００２３】
機能部品取付板４３が締着されたボトムカバー４１の前壁と左右側壁と後壁との外側にトップカバー４２の前壁と左右側壁と後壁との内側を係着し、トップカバー４２の側壁を貫通したねじ４８がボトムカバー４１の側壁に配設された雌ねじに螺合することにより、トップカバー４２の側壁とボトムカバー４１の側壁と機能部品取付板４３とが一体に締着される、トップカバー４２をあとから組み立てることで組立性がさらに向上する。
【００２４】
図１では、トップカバー１２とボトムカバー１１と機能部品取付板１３の係合部材１４とが側壁側の各２個所でねじ１８で結合されているが各２個所に限定されるものではなく、全体の構造と強度の面から数と位置は決定されてよい。
【００２５】
次に、本発明の第２の実施の形態について図面を参照して説明する。図５は本発明の第２の実施の形態のノート型情報処理装置の完成品と主要構成要素の組立手順との関係を示す模式図である。
【００２６】
第１の実施の形態では、トップカバー１２とボトムカバー１１と機能部品取付板１３の係合部材１４とが側壁側のみでねじ１８で結合されていたが、第２の実施の形態では、後壁側からもねじ１８で結合され、第１例と第２例とではボトムカバー４１とトップカバー４２と機能部品取付板４３の係合部材４４とが後壁側においてもねじ４８で結合され、第３例においてはボトムカバー４１とトップカバー４２とが後壁側においてもねじ４８で結合される。
【００２７】
ボトムカバー４１とトップカバー４２と機能部品取付板４３との組立構造は、第１の実施の形態の図２、図３および図４に示す構造と同じなので説明を省略する。
【００２８】
左右の側壁のほかに後壁でも固定するのでより安定した固定が可能となる。図５では、トップカバー５２とボトムカバー５１と機能部品取付板５３の係合部材５４とが側壁側の各１個所と後壁側の１個所の計３個所でねじ５８で結合されているが３個所に限定されるものではなく、全体の構造と強度の面から数と位置は決定されてよい。
【００２９】
ここで図面に示される液晶表示装置は、液晶表示装置に限られるものではなく、トップカバーの上面を覆う蓋部であればよい。
【００３０】
【発明の効果】
以上説明したように本発明のノート型情報処理装置には、次のような効果がある。即ち、
第一の効果は、ノート型情報装置の容積を減少させることができることである。その理由はノート型情報処理装置の機能に不必要な組立のためのボスや突起を減少させることができ、また収納される機能部品にボスや突起を避けるための機能に不必要な形状を持たせる必要がないためである。
【００３１】
第二の効果はノート型情報装置内の機能部品の形状を単純化できることである。その理由はノート型情報装置に機能に不必要な組立のためのボスや突起が少ないので、収納する機能部品を複雑な形状にしなくてもよいからである。
【００３２】
第三の効果はノート型情報装置の組み立て作業の効率化を図ることができることである。その理由はねじを横から止めるので組立や分解のために機器を裏返す等の動作が必要ではなくなるためである。
【００３３】
第四の効果は同等の機能を持つ他社製ノート型情報処理装置に対して意匠の違いを消費者に訴えることができる。その理由はねじを横止めにすることでこれを効果的に意匠に盛り込むことができ、またトップカバーでボトムカバーを覆う構造とすることができるからである。
【図面の簡単な説明】
【図１】本発明の第１の実施の形態のノート型情報処理装置の完成品と主要構成要素の組立手順との関係を示す模式図である。
【図２】ボトムカバーとトップカバーと機能部品取付板との組立構造を示す第１の実施の形態の第１例の部分断面図である。
【図３】ボトムカバーとトップカバーと機能部品取付板との組立構造を示す第１の実施の形態の第２例の部分断面図である。
【図４】ボトムカバーとトップカバーと機能部品取付板との組立構造を示す第１の実施の形態の第３例の部分断面図である。
（ａ）は上面図である。
（ｂ）は側面図である。
【図５】本発明の第２の実施の形態のノート型情報処理装置の完成品と主要構成要素の組立手順との関係を示す模式図である。
【図６】従来のノート型情報処理装置の完成品と主要構成要素の組立手順との関係を示す模式図である。
【図７】ボトムカバーとトップカバーと機能部品との組立構造を示す第１の従来例の部分断面図である。
【図８】ボトムカバーとトップカバーと機能部品との組立構造を示す第２の従来例の部分断面図である。
【符号の説明】
１０、５０、６０    ノート型情報処理装置
１１、２１、３１、４１、５１、６１、７１、８１    ボトムカバー
１２、２２、３２、４２、５２、６２、７２、８２    トップカバー
１３、２３、３３、４３、５３、６３、７３、８３    機能部品取付版
１４、２４、３４、４４、５５    係合部材
１８、２８、３８、４８、５８、６８、７８、８８    ねじ
１９、５９、６９    液晶表示装置
２５、３５、４５、７５、８５    デバイス
２６、３６、４６、７６、８６    プリント基板
２７、３７、４７、７７、８７    シールドシート
【図１】
0003678629.tif 000002
【図２】
0003678629.tif 000003
【図３】
0003678629.tif 000004
【図４】
0003678629.tif 000005
【図５】
0003678629.tif 000006
【図６】
0003678629.tif 000007
【図７】
0003678629.tif 000008
【図８】
0003678629.tif 000009